(57)【要約】      （修正有）【課題】駆動回路が実装され、記録手段と中継基板とを接続する接続手段としてのフレキシブル基板の一部に汎用のフレキシブル基板を使用して、その接続手段の部品コストを抑制することができる記録装置を提供する。【解決手段】フレキシブル配線ケーブル６０は、記録ヘッド７と中継基板とを接続するものであり、ＩＣチップ６１の出力側配線パターンを記録ヘッド７に接続するＣＯＦ（チップ・オン・フィルム）６２と、平行な配線パターンが形成される汎用のＦＦＣ（フレキシブル・フラット・ケーブル）６３とから構成されている。フレキシブル配線ケーブル６０は、ＩＣチップ６１の出力側配線パターンを、ＦＦＣ６３を介して、中継基板５０に接続するので、汎用で安価なＦＦＣ６３の使用量の分だけ、より高価なＣＯＦ６２の使用量を減らすことができ、その分、インクジェット記録装置全体としての製品コストの低減を図ることができる。【選択図】図２
2011005866.tif 000002
【特許請求の範囲】
【請求項１】
記録媒体に対して記録を行う記録手段と、その記録手段を駆動する駆動回路と、制御手
段から出力された記録データを前記駆動回路へ中継する中継基板と、それら記録手段、駆
動回路および中継基板を電気的に接続する接続手段とを備えた記録装置において、
前記接続手段は、
前記駆動回路が実装され、前記記録手段に接続される前記駆動回路の出力側配線、及び
その駆動回路の入力側配線を形成した第１のフレキシブル基板と、
その第１のフレキシブル基板の前記入力側配線に接続される端部と、その端部とは反対
側において前記中継基板に接続される他方の端部とを有する平行な配線パターンを形成し
た第２のフレキシブル基板とから構成されていることを特徴とする記録装置。
【請求項２】
前記第２のフレキシブル基板は、前記中継基板に接続される配線の他端に補強板が添設
されており、その他端が前記中継基板に設けられたコネクタ装置に着脱可能に接続される
ものであることを特徴とする請求項１記載の記録装置。
【請求項３】
前記第１のフレキシブル基板の複数の入力側配線と前記第２のフレキシブル基板の複数
の配線とは、その接続側端部において、それらの配線の配列方向の中心に対して左右対称
に形成され、
前記第１のフレキシブル基板の入力側配線の前記第２のフレキシブル基板との接続側端
部は、その第１のフレキシブル基板の面方向に沿って露出され、
前記第２のフレキシブル基板の配線の前記第１のフレキシブル基板との接続側端部は、
その第２のフレキシブル基板の表裏両面において面方向に沿って露出され、
その両露出した端部は重ね合わされて接続されていることを特徴とする請求項１又は２
に記載の記録装置。
【請求項４】
前記中継基板は、前記複数の記録素子と間隔を置いて配置され、前記第２のフレキシブ
ル基板は、前記中継基板の前記記録素子側とは反対側の面に接続されていることを特徴と
する請求項１から３のいずれかに記載の記録装置。
【請求項５】
前記記録手段は、インクを吐出する複数のノズルと、その各ノズル内のインクに対して
選択的に吐出圧力を付与する圧力発生手段とを備えるインクジェットヘッドであり、さら
に、前記各ノズルにインクを供給するインクタンクを備え、
そのインクタンクは、前記インクの吐出側と反対側となる前記圧力発生手段の上部に配
設され、更に、前記中継基板は、前記インクタンクの上部に配設されており、
前記第２のフレキシブル基板と前記中継基板とは、前記インクタンクと反対側の面とな
る前記中継基板の上面側で互いに接続されていることを特徴とする請求項４記載の記録装
置。
【請求項６】
前記複数の記録手段は２群設けられ、その各群毎に前記駆動回路が実装される前記第１
のフレキシブル基板とその第１のフレキシブル基板に接続される第２のフレキシブル基板
とが設けられ、
前記各群の第２のフレキシブル基板は、前記中継基板の対向する両側縁に沿って設けら
れた２つのコネクタ装置にそれぞれ接続されるものであり、
前記２つのコネクタ装置の一方は、前記第２のフレキシブル基板の他端側配線の先端部
を電気的に接続した状態で保持可能で、かつ、前記他端側配線の先端部を挿抜可能に構成
されるものであり、
前記２つのコネクタ装置の他方は、揺動操作可能なレバー部材を備え、そのレバー部材
を一の方向へ揺動操作した場合には受け入れ部が開放されると共に、前記レバー部材を他
の方向へ揺動操作した場合には受け入れ部に受け入れた前記他端側配線の先端部を電気的
に接続した状態で保持可能に構成されるものであることを特徴とする請求項４又は５に記
載の記録装置。
【請求項７】
前記第１のフレキシブル基板の長さは、前記第２のフレキシブル基板の長さよりも短く
構成されていることを特徴とする請求項１から６のいずれかに記載の記録装置。
【請求項８】
記録媒体に対して記録を行う複数群の記録手段と、制御手段から出力された記録データ
を前記記録手段へ中継する中継基板と、前記記録手段を各群毎に前記中継基板に電気的に
接続する複数の接続手段とを備えた記録装置において、
前記各接続手段は、
前記記録手段に接続される、その記録手段に対応した出力側端部、及び入力側端部を有
する配線パターンを形成した第１のフレキシブル基板と、
その第１のフレキシブル基板の前記入力側端部に接続される端部と、その端部とは反対
側において前記中継基板に接続される他方の端部とを有する平行な配線パターンを形成し
た第２のフレキシブル基板とから構成され、
前記第１のフレキシブル基板の入力側端部とそれに接続される前記第２のフレキシブル
基板の前記端部とは、それらの端部の配列方向の中心に対して左右対称に形成され、前記
第１のフレキシブル基板の入力側端部は、その第１のフレキシブル基板の面方向に沿って
露出され、前記第２のフレキシブル基板の前記第１のフレキシブル基板と接続される前記
端部は、その第２のフレキシブル基板の表裏両面において面方向に沿って露出され、その
両露出した端部は重ね合わされて接続され、
前記第２のフレキシブル基板は、前記中継基板に接続される端部の一方の面に補強板が
添設され、
前記中継基板には、異なる側縁に沿って複数のコネクタが設けられ、その一つの側縁に
沿って設けられたコネクタは、前記第２のフレキシブル基板の前記中継基板に接続される
端部を挿抜可能に構成され、他の側縁に沿って設けられたコネクタは、前記第２のフレキ
シブル基板の前記中継基板に接続される端部を揺動可能なレバー部材で挟持可能に構成さ
れ、前者のコネクタと後者のコネクタとは、前記第２のフレキシブル基板の前記端部と接
触する接点を、そのフレキシブル基板の面に対して互いに逆の側に有していることを特徴
とする記録装置。
【請求項９】
前記第１のフレキシブル基板には、前記記録手段を駆動するための駆動回路が実装され
ていることを特徴とする請求項８に記載の記録装置。
【請求項１０】
前記記録手段は、インクを吐出する複数のノズルと、その各ノズル内のインクに対して
選択的に吐出圧力を付与する圧力発生手段とを備えるインクジェットヘッドであり、さら
に、前記各ノズルにインクを供給するインクタンクとを備え、
前記中継基板は、前記インクタンクを挟んで前記インクジェットヘッドとは反対側に配
置されていることを特徴とする請求項８または９に記載の記録装置。
【請求項１１】
前記駆動回路は、前記制御手段からシリアルに出力された記録データを、前記記録手段
の複数に対応したパラレル信号に変換し、前記記録手段を駆動するための電圧にして出力
するものであることを特徴とする請求項１または９に記載の記録装置。
【発明の詳細な説明】
【技術分野】
【０００１】
本発明は記録装置に関し、特に、駆動回路が実装され、記録手段と中継基板とを接続す
る接続手段としてのフレキシブル基板の一部に汎用のフレキシブル基板を使用して、その
接続手段の部品コストを抑制することができる記録装置に関するものである。
【背景技術】
【０００２】
従来、記録媒体に対して画像を記録するプリンタ（記録装置）、例えば、インクジェッ
トプリンタでは、ノズルからの噴射の際に生じるインクミスト等の余剰インクによる汚染
を回避するために、記録ヘッドの駆動回路基板は、記録ヘッドのノズルから離れた位置に
配置され、これら記録ヘッドと駆動回路基板とは、フレキシブル基板により電気的に接続
されていた（特許文献１）。
【先行技術文献】
【特許文献】
【０００３】
【特許文献１】特開平１１−１６５４０８号公報（図２など）
【発明の概要】
【発明が解決しようとする課題】
【０００４】
ところで、近年では、記録ヘッドに接続されるフレキシブル基板上に駆動回路としての
ＩＣチップを実装した所謂ＣＯＦ（チップ・オン・フィルム）やＴＡＢ（テープ・オート
メイテッド・ボンディング）を使用してヘッドユニットを構成することで、その構成の簡
素化が図られている。なお、ＣＯＦ等におけるＩＣチップの入力側配線は、ヘッドユニッ
トに搭載された中継基板に接続されており、制御回路から出力される記録データは、その
中継基板を介して、ＩＣチップへ入力される。
【０００５】
しかしながら、近年、印字の高速化や高精細化の要求が一層厳しくなっており、そのた
め、記録ヘッドは、そのノズル数が増加される一方でノズルピッチが減少され、これに伴
って、記録ヘッドの端子ピッチやＩＣチップのバンプピッチが狭くなっている。その結果
、ＣＯＦ等の配線密度が狭くなり、加工コストが嵩むことに起因して、もともと高価な部
品であるＣＯＦ等の製品コストが更に嵩むという問題点があった。
【０００６】
また、中継基板は、インクによる汚染を回避するべく、記録ヘッドから離れて配置され
るため、それら中継基板と記録ヘッドとを接続するＣＯＦ等の配線長（製品長さ）が長く
なり、その分、製品コストが極めて嵩むという問題点があった。なお、ＣＯＦ等の製品コ
ストは、その全長に比例するため、配線密度がより広くなるＩＣチップの入力側配線部の
長さを延長した場合でも、配線密度がより狭くなる出力側配線部を延長した場合と同様の
製品コストとなる。
【０００７】
本発明は上述した問題点を解決するためになされたものであり、駆動回路が実装され記
録ヘッドと中継基板とを互いに接続する接続手段としてのフレキシブル基板の一部に汎用
フレキシブル基板を使用して、その接続手段の部品コストを抑制することができる記録装
置を提供することを目的としている。
【課題を解決するための手段】
【０００８】
この目的を達成するために、請求項１記載の記録装置は、記録媒体に対して記録を行う
記録手段と、その記録手段を駆動する駆動回路と、制御手段から出力された記録データを
前記駆動回路へ中継する中継基板と、それら記録手段、駆動回路および中継基板を電気的
に接続する接続手段とを備えたものであり、前記接続手段は、前記駆動回路が実装され、
前記記録手段に接続される前記駆動回路の出力側配線、及びその駆動回路の入力側配線を
形成した第１のフレキシブル基板と、その第１のフレキシブル基板の前記入力側配線に接
続される端部と、その端部とは反対側において前記中継基板に接続される他方の端部とを
有する平行な配線パターンを形成した第２のフレキシブル基板とから構成されている。
【０００９】
請求項２記載の記録装置は、請求項１記載の記録装置において、前記第２のフレキシブ
ル基板は、前記中継基板に接続される配線の他端に補強板が添設されており、その他端が
前記中継基板に設けられたコネクタ装置に着脱可能に接続されるものである。
【００１０】
請求項３記載の記録装置は、請求項１又は２に記載の記録装置において、前記第１のフ
レキシブル基板の複数の入力側配線と前記第２のフレキシブル基板の複数の配線とは、そ
の接続側端部において、それらの配線の配列方向の中心に対して左右対称に形成され、前
記第１のフレキシブル基板の入力側配線の前記第２のフレキシブル基板との接続側端部は
、その第１のフレキシブル基板の面方向に沿って露出され、前記第２のフレキシブル基板
の配線の前記第１のフレキシブル基板との接続側端部は、その第２のフレキシブル基板の
表裏両面において面方向に沿って露出され、その両露出した端部は重ね合わされて接続さ
れている。
【００１１】
請求項４記載の記録装置は、請求項１から３のいずれかに記載の記録装置において、前
記中継基板は、前記複数の記録素子と間隔を置いて配置され、前記第２のフレキシブル基
板は、前記中継基板の前記記録素子側とは反対側の面に接続されている。
【００１２】
請求項５記載の記録装置は、請求項４記載の記録装置において、前記記録手段は、イン
クを吐出する複数のノズルと、その各ノズル内のインクに対して選択的に吐出圧力を付与
する圧力発生手段とを備えるインクジェットヘッドであり、さらに、前記各ノズルにイン
クを供給するインクタンクを備え、そのインクタンクは、前記インクの吐出側と反対側と
なる前記圧力発生手段の上部に配設され、更に、前記中継基板は、前記インクタンクの上
部に配設されており、前記第２のフレキシブル基板と前記中継基板とは、前記インクタン
クと反対側の面となる前記中継基板の上面側で互いに接続されている。
【００１３】
請求項６記載の記録装置は、請求項４又は５に記載の記録装置において、前記複数の記
録手段は２群設けられ、その各群毎に前記駆動回路が実装される前記第１のフレキシブル
基板とその第１のフレキシブル基板に接続される第２のフレキシブル基板とが設けられ、
前記各群の第２のフレキシブル基板は、前記中継基板の対向する両側縁に沿って設けられ
た２つのコネクタ装置にそれぞれ接続されるものであり、前記２つのコネクタ装置の一方
は、前記第２のフレキシブル基板の他端側配線の先端部を電気的に接続した状態で保持可
能で、かつ、前記他端側配線の先端部を挿抜可能に構成されるものであり、前記２つのコ
ネクタ装置の他方は、揺動操作可能なレバー部材を備え、そのレバー部材を一の方向へ揺
動操作した場合には受け入れ部が開放されると共に、前記レバー部材を他の方向へ揺動操
作した場合には受け入れ部に受け入れた前記他端側配線の先端部を電気的に接続した状態
で保持可能に構成されるものである。
【００１４】
請求項７記載の記録装置は、請求項１から６のいずれかに記載の記録装置において、前
記第１のフレキシブル基板の長さは、前記第２のフレキシブル基板の長さよりも短く構成
されている。
【００１５】
請求項８記載の記録装置は、記録媒体に対して記録を行う複数群の記録手段と、制御手
段から出力された記録データを前記記録手段へ中継する中継基板と、前記記録手段を各群
毎に前記中継基板に電気的に接続する複数の接続手段とを備えたものであり、前記各接続
手段は、前記記録手段に接続される、その記録手段に対応した出力側端部、及び入力側端
部を有する配線パターンを形成した第１のフレキシブル基板と、その第１のフレキシブル
基板の前記入力側端部に接続される端部と、その端部とは反対側において前記中継基板に
接続される他方の端部とを有する平行な配線パターンを形成した第２のフレキシブル基板
とから構成され、前記第１のフレキシブル基板の入力側端部とそれに接続される前記第２
のフレキシブル基板の前記端部とは、それらの端部の配列方向の中心に対して左右対称に
形成され、前記第１のフレキシブル基板の入力側端部は、その第１のフレキシブル基板の
面方向に沿って露出され、前記第２のフレキシブル基板の前記第１のフレキシブル基板と
接続される前記端部は、その第２のフレキシブル基板の表裏両面において面方向に沿って
露出され、その両露出した端部は重ね合わされて接続され、前記第２のフレキシブル基板
は、前記中継基板に接続される端部の一方の面に補強板が添設され、前記中継基板には、
異なる側縁に沿って複数のコネクタが設けられ、その一つの側縁に沿って設けられたコネ
クタは、前記第２のフレキシブル基板の前記中継基板に接続される端部を挿抜可能に構成
され、他の側縁に沿って設けられたコネクタは、前記第２のフレキシブル基板の前記中継
基板に接続される端部を揺動可能なレバー部材で挟持可能に構成され、前者のコネクタと
後者のコネクタとは、前記第２のフレキシブル基板の前記端部と接触する接点を、そのフ
レキシブル基板の面に対して互いに逆の側に有している。
【００１６】
請求項９記載の記録装置は、請求項８記載の記録装置において、前記第１のフレキシブ
ル基板には、前記記録手段を駆動するための駆動回路が実装されている。
【００１７】
請求項１０記載の記録装置は、請求項８又は９に記載の記録装置において、前記記録手
段は、インクを吐出する複数のノズルと、その各ノズル内のインクに対して選択的に吐出
圧力を付与する圧力発生手段とを備えるインクジェットヘッドであり、さらに、前記各ノ
ズルにインクを供給するインクタンクとを備え、前記中継基板は、前記インクタンクを挟
んで前記インクジェットヘッドとは反対側に配置されている。
【００１８】
請求項１１記載の記録装置は、請求項１又は９に記載の記録装置において、前記駆動回
路は、前記制御手段からシリアルに出力された記録データを、前記記録手段の複数に対応
したパラレル信号に変換し、前記記録手段を駆動するための電圧にして出力するものであ
る。
【発明の効果】
【００１９】
請求項１記載の記録装置によれば、駆動回路が実装された第１のフレキシブル基板は、
駆動回路の出力側配線を記録手段に接続する一方、駆動回路の入力側配線を、平行な配線
パターンを形成した第２のフレキシブル基板を介して、中継基板に接続する。即ち、駆動
回路が実装され記録手段に対応した専用の配線パターンが形成された第１のフレキシブル
基板に対して、平行な配線パターンが形成された第２のフレキシブル基板の方がより安価
に構成されるところ、その第２のフレキシブル基板の使用量の分だけ、より高価な第１の
フレキシブル基板の使用量を減らすことができるので、その分、記録装置全体としての製
品コストの低減を図ることができるという効果がある。
【００２０】
請求項２記載の記録装置によれば、請求項１記載の記録装置の奏する効果に加え、第２
のフレキシブル基板は、中継基板に接続される配線の他端に補強板が添設され、その他端
を中継基板に設けられたコネクタ装置に接続する。よって、平行な配線パターンからなる
第２のフレキシブル基板を、中継基板のコネクタに容易に着脱可能に接続することができ
、記録手段及び駆動回路と、中継基板とが初期不良や故障等により交換が必要になったと
き、その着脱作業を容易に行うことができる。また、第２のフレキシブル基板に対して、
特別なコネクタを装着する必要がないから、コストを低減することができる。
【００２１】
請求項３記載の記録装置によれば、請求項１又は２に記載の記録装置の奏する効果に加
え、第１のフレキシブル基板と第２のフレキシブル基板との接続側端部においては、第１
のフレキシブル基板の配線がその第１のフレキシブル基板の面方向に沿って露出される一
方、第２のフレキシブル基板の配線がその第２のフレキシブル基板の表裏両面において面
方向に沿って露出され、更に、両フレキシブル基板の接続側端部の配線が、その配線の配
列方向の中心に対して左右対称に形成されている。
【００２２】
よって、第１のフレキシブル基板の配線の露出面に対して、第２のフレキシブル基板の
配線の表裏いずれの露出面を向けた場合であっても、これら両フレキシブル基板の露出さ
れた端部を互いに重ね合わせて接続することができるという効果がある。特に、第２のフ
レキシブル基板の中継基板側の配線の他端に補強板を添設したものでは、その中継基板上
のコネクタがその接点を補強板に対して上下のいずれの側に設けたものであっても第２の
フレキシブル基板を共用することができ、その結果、記録装置全体としての製品コストの
低減を図ることができるという効果がある。
【００２３】
また、第１のフレキシブル基板と第２のフレキシブル基板との接続側端部は、各配線の
露出した端部同士を重ね合わせて接続されるため、例えば、この接続部がはんだ付けによ
り接続される場合には、隣接端子間ショートや端子オープン等が発生しても、接続部のは
んだを再熔解することで、各フレキシブル基板を接続状態から外し再利用が可能となるの
で、記録装置の製造に際して、その歩留まりの向上を図ることができるという効果がある
。
【００２４】
請求項４記載の記録装置によれば、請求項１から３のいずれかに記載の記録装置の奏す
る効果に加え、中継基板は、複数の記録素子と間隔を置いて配設されると共に、第２のフ
レキシブル基板は、中継基板の記録素子側とは反対側の面に接続されている。よって、中
継基板と第２のフレキシブル基板との接続部がインクミスト等の余剰インクにより汚染さ
れることを未然に回避することができるという効果があり、また、中継基板と第２のフレ
キシブル基板との接続部の上方に作業空間を確保して、その接続作業や故障時の修理作業
などの作業効率の向上を図ることができるという効果がある。
【００２５】
請求項５記載の記録装置によれば、請求項４記載の記録装置の奏する効果に加え、中継
基板は、インクの吐出側と反対側に配設されるインクタンクの更に上部に配設されており
、その中継基板と第２のフレキシブル基板とは、インクタンクと反対側、即ち、インクの
吐出方向と反対側の面となる中継基板の上面側で互いに接続されている。よって、中継基
板と第２のフレキシブル基板との接続部がインクミスト等の余剰インクにより汚染される
ことを未然に回避することができるという効果があり、また、中継基板と第２のフレキシ
ブル基板との接続部の上方に作業空間を確保して、その接続作業や故障時の修理作業など
の作業効率の向上を図ることができるという効果がある。
【００２６】
請求項６記載の記録装置によれば、請求項４又は５に記載の記録装置の奏する効果に加
え、２群の記録手段からそれぞれ延びる第１のフレキシブル基板及び第２のフレキシブル
基板は中継基板の対向する両側縁に沿って設けられた２つのコネクタ装置にそれぞれ接続
されるものであるところ、一方のコネクタ装置は、第２のフレキシブル基板の他端側配線
の先端部を挿入するだけで、その先端部を電気的に接続した状態で保持可能に構成される
ものであり、また、他方のコネクタ装置は、レバー部材の揺動操作によって開放され第２
のフレキシブル基板を保持可能に構成されるものであるので、まず中継基板の前記一方の
コネクタ装置を一方の第２のフレキシブル基板の端部に近づけてその両者の接続をし、そ
の後、中継基板の前記他方のコネクタ装置を他方の第２のフレキシブル基板の端部に近づ
けてレバー部材によって接続をすることで、第１及び第２のフレキシブル基板を、２群の
記録手段と中継基板の両側とをそれぞれ結ぶほぼ最小限の長さとしても容易に接続作業を
行うことができる。それによって、第１及び第２のフレキシブル基板を、記録手段と中継
基板との間で、接続作業のためにたるみを持たせておく量を最小限とすることが可能にな
り、記録手段及び中継基板からなる部分を小型化することができる。
【００２７】
請求項７記載の記録装置によれば、請求項１から６のいずれかに記載の記録装置の奏す
る効果に加え、駆動回路が実装された第１のフレキシブル基板に対して、平行な配線パタ
ーンが形成された第２のフレキシブル基板の方がより安価に構成されるところ、第１のフ
レキシブル基板の長さは第２のフレキシブル基板の長さよりも短くされている、即ち、第
１及び第２の両フレキシブル基板全体で必要な全長は、第２のフレキシブル基板の使用割
合を相対的に大きくすることで確保され、その分、より高価な第１のフレキシブル基板の
使用量を減らすことができるので、記録装置全体としての製品コストの低減を図ることが
できるという効果がある。
【００２８】
請求項８記載の記録装置によれば、複数群の記録手段と、中継基板の異なる側縁に沿っ
て設けられた複数のコネクタとが、各群の記録手段に接続された第１のフレキシブル基板
とその第１のフレキシブル基板に接続された第２のフレキシブル基板とでそれぞれ接続さ
れるところ、一つの側縁に沿って設けられたコネクタは、第２のフレキシブル基板の端部
を挿抜可能に構成され、他の側縁に沿って設けられたコネクタは、第２のフレキシブル基
板の端部を揺動可能なレバー部材で挟持可能に構成されているので、まず中継基板の前記
一つのコネクタを一つの第２のフレキシブル基板の端部に近づけてその両者の接続をし、
その後、中継基板の他のコネクタを他の第２のフレキシブル基板の端部に近づけてレバー
部材によって接続をすることで、第１及び第２のフレキシブル基板を、各群の記録手段と
中継基板の側縁とをそれぞれ結ぶほぼ最小限の長さとしても容易に接続作業を行うことが
できる。それによって、第１及び第２のフレキシブル基板を、記録手段と中継基板との間
で、接続作業のためにたるみを持たせておく量を最小限とすることが可能になり、記録手
段及び中継基板からなる部分を小型化することができる。
【００２９】
また、第１のフレキシブル基板の入力側端部とそれに接続される第２のフレキシブル基
板の端部とは、それらの端部の配列方向の中心に対して左右対称に形成され、第１のフレ
キシブル基板の入力側端部は、その第１のフレキシブル配線基板の面方向に沿って露出さ
れ、第２のフレキシブル基板の第１のフレキシブル基板と接続される端部は、その第２の
フレキシブル基板の表裏両面において面方向に沿って露出され、その両露出した端部は重
ね合わされて接続され、第２のフレキシブル基板は、中継基板に接続される端部の一方の
面に補強板が添設され、上記各コネクタは、第２のフレキシブル基板の端部と接触する接
点を、そのフレキシブル配線基板の面に対して互いに逆の側に有している。
【００３０】
よって、第１のフレキシブル基板の配線の露出面に対して、第２のフレキシブル基板の
配線の表裏いずれの露出面を向けた場合であっても、これら両フレキシブル基板の露出さ
れた端部を互いに重ね合わせて接続することができるので、各群の記録手段と中継基板の
側縁とを接続する複数の接続箇所において、ほぼ同じように製作した第２のフレキシブル
基板を使用することができる。さらに、記録手段に対応した専用の配線パターンが形成さ
れる第１のフレキシブル基板に対して、汎用の平行配線パターンでよい第２のフレキシブ
ル基板の方がより安価に構成されるため、この第２のフレキシブル基板の使用量の分だけ
、第１のフレキシブル基板の使用量を減らすことができることと相俟って、記録装置全体
としての製品コストの低減を図ることができるという効果がある。
【００３１】
また、第１のフレキシブル基板と第２のフレキシブル基板との接続側端部は、各配線の
露出した端部同士を重ね合わせて接続されるため、例えば、この接続部がはんだ付けによ
り接続される場合には、隣接端子間ショートや端子オープン等が発生しても、接続部のは
んだを再熔解することで、各フレキシブル基板の再利用が可能となるので、記録装置の製
造に際して、その歩留まりの向上を図ることができるという効果がある。
【００３２】
請求項９記載の記録装置によれば、請求項８記載の記録装置の奏する効果に加え、記録
手段を駆動するための駆動回路は、第１のフレキシブル基板に実装されているので、その
記録手段、駆動回路、中継基板及び接続手段から構成されるユニットの構成を簡素化する
ことができるという効果がある。
【００３３】
請求項１０記載の記録装置によれば、請求項８又は９に記載の記録装置の奏する効果に
加え、中継基板は、インクタンクを挟んで、インクジェットヘッドとは反対側に配置され
ている。よって、中継基板またはその中継基板と第２のフレキシブル基板との接続部がイ
ンクミスト等の余剰インクにより汚染されることを未然に回避することができるという効
果があり、また、中継基板の上方（インクタンクと反対側）に作業空間を確保して、第２
のフレキシブル基板との接続作業や故障時の修理作業などの作業効率の向上を図ることが
できるという効果がある。
【００３４】
請求項１１記載の記録装置によれば、請求項１又は９に記載の記録装置の奏する効果に
加え、駆動回路は、制御回路からシリアルに出力された記録データを、各記録手段に対応
したパラレル信号に変換し、記録手段を駆動するための電圧にして出力するものであるの
で、第１のフレキシブル基板に形成される入力側配線の配線数を少なくして、その入力側
配線に接続される第２のフレキシブル基板の構成を簡素化することができるので、第２の
フレキシブル基板の製品コストの低減を図ることができるという効果がある。
【図面の簡単な説明】
【００３５】
【図１】本発明の第１実施例におけるインクジェット記録装置を模式的に示した図である。
【図２】記録ヘッドユニットの分解斜視図である。
【図３】図２のＩＩＩ−ＩＩＩ線断面図である。
【図４】図２のＩＶ−ＩＶ線断面図である。
【図５】記録ヘッドユニットの下面図である。
【図６】記録ヘッド及びフレキシブル配線ケーブルの分解斜視図である。
【図７】（ａ）はフレキシブル配線ケーブルの上面図であり、（ｂ）（ｃ）はそれぞれそのケーブルの端子部の側面図である。
【図８】第２実施例における記録ヘッドユニットの断面図である。
【図９】（ａ），（ｂ）共にコネクタの一部を断面にした側面図である。
【発明を実施するための形態】
【００３６】
以下、本発明の好ましい実施例について、添付図面を参照して説明する。図１は、本発
明の第１実施例におけるインクジェット記録装置１を模式的に示した概略図である。
【００３７】
インクジェット記録装置１は、インクカートリッジ２を着脱可能に装着する装着部３と
、インクカートリッジ２からインク供給チューブ４を介して供給されるインクを貯留する
インクバッファタンク５と、そのインクバッファタンク５に貯留されたインクを記録用紙
６に向けて吐出する記録ヘッド７と、インクバッファタンク５と記録ヘッド７とを主に備
える記録ヘッドユニット８が搭載され直線方向に往復動作するキャリッジ９と、そのキャ
リッジ９が往復移動する際のガイドとなるキャリッジ軸１０と、記録用紙６を搬送する搬
送機構１１と、パージ装置１２とを備えている。
【００３８】
インクカートリッジ２は、シアン、マゼンタ、イエロー、ブラック等の複数色のカラー
インク毎に設けられ、インクジェット記録装置１に装着されてカラー印刷が可能に構成さ
れている。なお、インクカートリッジ２は、図１の矢印Ｘ方向へ押し込むことにより、装
着部３に装着される。
【００３９】
装着部３は、ベース部３ａと、そのベース部３ａの両側から立設するガイド部３ｂとを
備え、ガイド部３ｂに挟まれたベース部３ａからは、インクカートリッジ２内に貯留され
たインクを抽出する中空状のインク抽出管１３と、インクカートリッジ２内に外気を導入
する中空状の外気導入管１４とが突出して配設されている。
【００４０】
このインク抽出管１３の一端側には、インク供給チューブ４が連結され、インク抽出管
１３は、インク供給チューブ４を介してインクバッファタンク５と連通されている。外気
導入管１４の一端側には、外気導入チューブ１５が連結され、外気導入管１４は、外気導
入チューブ１５を介して外気と連通されている。
【００４１】
パージ装置１２は、記録範囲外であって記録ヘッド７に対向するように配置されており
、記録ヘッド７のノズル１６ｙ，１６ｍ，１６ｋ，１６ｃ（図５参照）形成面を覆うパー
ジキャップ１２ａと、パージキャップ１２ａと連通する廃インクチューブ１２ｂと、廃イ
ンクチューブ１２ｂを介してノズル１６ｙ，１６ｍ，１６ｋ，１６ｃからインクを吸引す
るポンプ１２ｃとを備えている。
【００４２】
次に、図２から図５を参照して、記録ヘッドユニット８の構造を説明する。図２は、記
録ヘッドユニット８の分解斜視図であり、図３及び図４は、記録ヘッドユニット８の断面
図であり、図５は、記録ヘッドユニット８の下面図である。
【００４３】
記録ヘッドユニット８は、上述したように、インクバッファタンク５と記録ヘッド７と
を備えて構成されており、また、図２に示すように、樹脂材料から略箱形に形成されるヘ
ッドホルダ２０と、放熱性に優れる金属材料（例えば、アルミニウム）から形成されるヒ
ートシンク３０と、正面視略矩形の平板状に形成され露出口４０ａが開口された補強フレ
ーム４０と、インクジェット記録装置１の本体側に静置された制御回路（図示せず）にフ
レキシブルケーブル（図示せず）を介して接続される中継基板５０とを更に備えて構成さ
れている。
【００４４】
ヘッドホルダ２０は、図２に示すように、互いに対向する一対の側壁２０ａ及び側壁２
０ｂと、それら各側壁２０ａ，２０ｂに囲まれて形成されたヘッドホルダ２０の内部空間
を上下に区画（図３及び図４参照）する底壁２０ｃとを備えて構成されている。なお、以
下においては、側壁２０ｃにより区画された内部空間のうち、底壁２０ｃより上側（図２
上側）の空間を上方空間と称し、底壁２０ｃよりも下側（図２下側）の空間を下方空間と
称す。
【００４５】
この記録ヘッドユニット８が図２に示す分解状態から組み立てられると、図３から図５
に示すように、ヘッドホルダ２０内の下方空間（図３及び図４下側）には、記録ヘッド７
が補強フレーム４０を介して支持されると共に、ヘッドホルダ２０内の上方空間には、イ
ンクバッファタンク５及びヒートシンク３０が配置され、また、ヘッドホルダ２０の上面
側（図３及び図４）には、中継基板５０が支持される。
【００４６】
補強フレーム４０は、ヘッドホルダ２０内の下方空間において、底壁２０ｃの下面側（
図３及び図４下側）に接着剤により固着されており、記録ヘッド７は、補強フレーム４０
の下面側に固着されている。また、記録ヘッド７の後述する圧電アクチュエータプレート
７ｂは、補強フレーム４０に開口された露出口４０ａから底壁２０ｃ側に露出して配設さ
れている。
【００４７】
記録ヘッド７の下面側（記録用紙６（図１参照）と対向する側）の面には、図５に示す
ように、イエローインク用のノズル１６ｙ、マゼンタインク用のノズル１６ｍ、ブラック
インク用のノズル１６ｋ及びシアンインク用のノズル１６ｃがそれぞれ列状に形成されて
いる。なお、これら各ノズル列の方向と略直交する方向（図５左右方向）がキャリッジ９
（図１参照）の移動方向とされる。
【００４８】
インクバッファタンク５は、その内部を、イエローインク用のインクタンク、マゼンタ
インク用のインクタンク、ブラックインク用のインクタンク及びシアンインク用のインク
タンク（いずれも図示せず）に区画して構成されており、これら各インクタンクの下面側
（図２又は図４下側）には、図２又は図４に示すように、管５ｙ，５ｍ，５ｋ，５ｃが記
録ヘッド７へ向けて延設されている。これら各管５ｙ，５ｍ，５ｋ，５ｃは、補強フレー
ム４０のインク供給経路４０ｙ，４０ｍ，４０ｋ，４０ｃを介して、記録ヘッド７の後述
するインク供給口１７ｙ，１７ｍ，１７ｋ，１７ｃに接続される。
【００４９】
ここで、図６を参照して、記録ヘッド７の詳細構成について説明する。図６は、記録ヘ
ッド７及びフレキシブル配線ケーブル６０の分解斜視図である。なお、図６では、フレキ
シブル配線ケーブル６０の一部が省略して図示されている。
【００５０】
記録ヘッド７は、複数のプレートを積層して形成されるキャビティプレート７ａと、プ
レート型の圧電アクチュエータプレート７ｂとを備えて構成されている。キャビティプレ
ート７ａは、特開２００２−２４０３０６号公報に記載された公知のものと同様に、上面
にインク供給口１７ｙ，１７ｍ，１７ｋ，１７ｃを有し、その各インク供給口１７ｙ〜１
７ｃから延びるマニホールド流路を介して複数の圧力室にインクが分配され、各圧力室か
ら対応する各ノズル１６ｙ，１６ｍ，１６ｋ，１６ｃに至る構成である。
【００５１】
圧電アクチュエータプレート７ｂは、上記の各圧力室に対応する複数の圧力発生手段、
即ち、圧電変形部を有し、その上面に各圧電変形部に接続された電極１８ｙ，１８ｍ，１
８ｋ，１８ｃを有する。電極１８ｙ，１８ｍ，１８ｋ，１８ｃの配設数は、ノズル１６ｙ
，１６ｍ，１６ｋ，１６ｃの数に対応する。
【００５２】
圧電アクチュエータプレート７ｂの上面（図６上側面）には、図６に示すように、可撓
性を有するフレキシブル配線ケーブル６０が積層され、各電極１８ｙ，１８ｍ，１８ｋ，
１８ｃには、フレキシブル配線ケーブル６０に実装され駆動回路を内装するＩＣチップ６
１から延びる配線パターン（図示せず）が接続される。
【００５３】
ＩＣチップ６１から圧電アクチュエータプレート７ｂの各圧電変形部に駆動パルスが供
給されると、上記の圧力室内のインクに圧力が付与され、各ノズル１６ｙ，１６ｍ，１６
ｋ，１６ｃからインクを下向き（図６下方向）に吐出することができる。
【００５４】
フレキシブル配線ケーブル６０は、図６に示すように、各電極１８ｙ，１８ｍ，１８ｋ
，１８ｃの列方向、即ち、ノズル１６ｙ，１６ｍ，１６ｋ，１６ｃ（図５参照）の列方向
に幅を有し、そのノズル列の方向に略直交する方向に延びて構成されている。
【００５５】
図２から図５に戻って説明する。フレキシブル配線ケーブル６０は、図３に示すように
、ヘッドホルダ２０の底壁２０ｃに形成される連通路２０ｃ１を通過して、ヘッドホルダ
２０内の下方空間から上方空間へ入り、その上方空間内を底壁２０ｃと略平行に側壁２０
ａまで延びた後、その側壁２０ａと略平行にヘッドホルダ２０の上方（図３上方向）へ向
けて延びて配設されている。そして、フレキシブル配線ケーブル６０の先端の後述するコ
ネクタ側端子部６３ｂ（図７（ａ）参照）は、ヘッドホルダ２０の上面側（図３及び図４
上側）に配設された剛性体の中継基板５０のコネクタ５１に接続される。
【００５６】
このように、中継基板５０は、図３に示すように、記録ヘッド７のインクの吐出側（図
３下側）と反対側に配設されたインクバッファタンク５の更に上部（図３上側）に配設さ
れており、その中継基板５０のコネクタ５１とフレキシブル配線ケーブル６０の先端の後
述するコネクタ側端子部６３ｂ（図７（ａ）参照）とは、インクの吐出方向と反対側の面
となる中継基板５０の上面側において互いに接続されている。
【００５７】
よって、コネクタ５１と後述するコネクタ側端子部６３ｂ（図７（ａ）参照）との接続
部がインクミスト等の余剰インクによって汚染されることを未然に回避することができる
と共に、コネクタ５１とコネクタ側端子部６３ｂとの接続部の上方（図３上側）に作業空
間を確保して、その接続作業や故障時の修理作業などの作業効率の向上を図ることができ
る。
【００５８】
中継基板５０は、図示しないフレキシブルな配線部材を介して、記録装置本体側に静置
された制御回路と接続される。ヒートシンク３０は、フレキシブル配線ケーブル６０に実
装されたＩＣチップ６１の発する熱を外部へ放熱するためのものであり、図２から図４に
示すように、平坦面を有して形成される座面部３０ａと、側面視略Ｕ字状に曲折されて形
成される本体部３０ｂとを備えて構成されている。また、本体部３０ｂの湾曲部には、貫
通口３０ｂ１が貫通形成されている。
【００５９】
ヒートシンク３０は、その座面部３０ａに形成された２つの取り付け穴３０ａ１（図２
参照）を、ヘッドホルダ２０の底壁２０ｃから突設された取り付けボス２０ｃ２に固着し
て、ヘッドホルダ２０内の上方空間に取り付けられている。
【００６０】
ヒートシンク３０の本体部３０ｂは、図３に示すように、ヘッドホルダ２０の側壁２０
ａの裏表両面と所定間隔を隔てつつ対向して配設されており、フレキシブル配線ケーブル
６０は、本体部３０ａと側壁２０ａとの対向面間を通り、本体部３０ｂの貫通口３０ａ１
から中継基板５０側へ延びて配設されている。
【００６１】
なお、ヒートシンク３０がヘッドホルダ２０に取り付けられた状態においては、図３に
示すように、ヘッドホルダ２０の底壁２０ｃに固着されたゴム状弾性部材１９によってＩ
Ｃチップ６１がヒートシンク３０の座面３０ａに熱伝導可能に接触するように押圧されて
いる。
【００６２】
次に、図７を参照して、フレキシブル配線ケーブル６０の詳細構成について説明する。
【００６３】
フレキシブル配線ケーブル６０は、ＩＣチップ６１が実装された第１のフレキシブル基
板としてのＣＯＦ（チップ・オン・フィルム）６２と、第２のフレキシブル基板としての
ＦＦＣ（フレキシブル・フラット・ケーブル）６３とから構成されている。ＣＯＦ６２は
、ＩＣチップ６１の入力側、出力側にそれぞれ接続される入力側配線および出力側配線を
、公知のように電気絶縁フィルムの上に印刷形成して備える。出力側配線の端部は、図６
のアクチュエータプレート７上の電極１８ｋ、１８ｙ、１８ｃ、１８ｍにそれぞれ接続さ
れる。
【００６４】
ＩＣチップ６１に内装される駆動回路は、記録装置本体側の制御回路から中継基板５０
を介してシリアルに出力された記録データを、記録ヘッド７の圧力発生手段数に対応した
パラレル信号に変換し、圧力発生手段を駆動するための電圧にして出力するものである。
【００６５】
そのため、ＣＯＦ６２の出力側配線パターンは、少なくともノズル１６ｙ，１６ｍ，１
６ｋ，１６ｃ（図５参照）数以上の線数が必要となり、配線密度が高くなる。これに対し
、ＣＯＦ６２の入力側配線パターン（即ち、ＦＦＣ６３の配線パターン）は、信号電源線
や駆動電源線、グランド線などの信号線に加えて、記録データ信号線、転送クロック信号
線およびラッチ信号線をインク色ごとに設けられたシリアル／パラレル変換器分だけ設け
れば良く、極めて少ない線数で構成することができる。
【００６６】
ＦＦＣ６３は、ＣＯＦ６２の入力側配線数と対応する配線数を有する平行な配線パター
ンが形成された汎用のケーブルであって、一方の端子部６３ａがＣＯＦ６２の入力側配線
の端部（入力側端子部６２ａ）に接続され、他方の端子部６３ｂが中継基板５０に接続さ
れる。したがって、ＣＯＦ６２が当該記録ヘッド７に専用に製作されるのに対して、汎用
のＦＦＣ６３がより安価に構成されるところ、上述のように、ＣＯＦ６２は、入力側配線
を、汎用のＦＦＣ６３を介して、プリント基板５１に接続するので、ＦＦＣ６３の使用量
の分だけ、より高価なＣＯＦ６２の使用量を減らすことができ、その分、インクジェット
記録装置１全体としての製品コストの低減を図ることができる。
【００６７】
ＦＦＣ６３とＣＯＦ６２との接続部においては、図７（ａ）及び図７（ｃ）に示すよう
に、ＣＯＦ６２の入力側端子部６２ａは、その配線の片側面（図７（ｃ）上側面）がＣＯ
Ｆ６２の面方向に沿って露出される一方、それに対応するＦＦＣ６３の端子部６３ａは、
その裏表両面（図７（ｃ）上側面及び下側面）の電気絶縁被覆がＦＦＣ６３の面方向に沿
って除去されて配線が裏表両面に露出され、更に、これら端子部６２ａ，６３ａの配線は
、その配線の配列方向（図７（ａ）上下方向）の中心を通り、ＦＦＣ６３及びＣＯＦ６２
の長手方向（図７（ａ）左右方向）に延びる仮想線に対して対称に配設されている。
【００６８】
両端子部６２ａ、６３ａは、露出した各配線を一対一で対応させて重ね合わせ、加熱す
ることでその一方の表面に形成された導電性ろう材（はんだ）を熔融させて接続される。
さらに、その接続部の、配線が露出している側を覆って電気絶縁テープ６５（図６）が貼
着される。
【００６９】
また、ＦＦＣ６３の中継基板５０側端子部６３ｂは、その配線の片側面（図７（ｂ）上
側面）の電気絶縁被覆がＦＦＣの面方向に沿って除去されて配線が露出され、その露出側
と反対側（図７（ｂ）下側面）に補強板６４が添設されている。補強板６４は、ＦＦＣ６
３よりも剛性が高く、後述するコネクタ５１に着脱する際に取り扱い易い剛性を有してい
る電気絶縁性のフィルム材であり、ＦＦＣ６３に熱熔着、接着等されている。
【００７０】
中継基板５０は、剛性を有する電気絶縁基板に配線パターンが印刷形成されたもので、
ＦＦＣ６３の端子部６３ｂが着脱可能に接続されるコネクタ５１を上面に有する。コネク
タ５１としては、後述する図９の、端子部６３ｂを挿抜するタイプ、レバー部材で端子部
６３ｂを挟むタイプのものなど、各種のものが使用される。
【００７１】
第１実施例のインクジェット記録装置は、上記のように、ＣＯＦ６２とＦＦＣ６３とを
接続する端子部６２ａ、６３ａが幅方向の中心に対して対称に配設され、ＦＦＣ６３の端
子部６３ａが裏表両面に露出しているため、ＦＦＣ６３を裏表いずれでもＣＯＦ６２に接
続することができ、中継基板５０上のコネクタ５１が後述する図９のように接点を上下い
ずれの側に有するタイプに対しても、ＦＦＣ６３を使用することができ、インクジェット
記録装置１全体としての製品コストの低減を図ることができる。
【００７２】
また、その両端子部６２ａ，６３ａとは、露出した配線同士を重ね合わせはんだ付けに
より接続するものであるので、例えば、かかる接続部に隣接端子間ショートや端子オープ
ン等が発生しても、接続部のはんだを再熔解することで、ＦＦＣ６３及びＣＯＦ６２を接
続状態から外し再利用を可能とすることができ、その結果、インクジェット記録装置１の
製造に際しては、その歩留まりの向上を図ることができる。
【００７３】
さらに、ＦＦＣ６３の端子部６３ｂは、中継基板５０のコネクタ５１に着脱可能に接続
されるので、記録ヘッド７、ＩＣチップ６１、中継基板５０を初期不良や故障等により交
換することが必要になったときには、かかる交換作業を容易に行うことができる。
【００７４】
次に、図８を参照して第２実施例について説明する。図８は、記録ヘッドユニット１０
８の断面図である。
【００７５】
第１実施例のインクジェット記録装置１では、ヘッドユニット８が記録ヘッド７を１つ
だけ備えて構成されていたのに対し、第２実施例のインクジェット記録装置１００では、
ヘッドユニット１０８が記録ヘッド７を２つ備えて構成されている。なお、前記した第１
実施例と同一の部分には同一の符号を付して、その説明は省略する。
【００７６】
ヘッドホルダ１２０は、第１実施例の場合と同様に、互いに対向する一対の側壁１２０
ａ及び側壁１２０ｂにより内部空間が形成され、その内部空間は、底壁１２０ｃによって
、下方空間と上方空間とに区画されている。図８に示すように、下方空間には、２つの記
録ヘッド７が補強フレーム１４０に支持されつつ左右対称に配置され、上方空間には、イ
ンクバッファタンク１０５及びヒートシンク３０が配置され、また、ヘッドホルダ１２０
の上面側（図８上側）には、中継基板１５０が支持される。
【００７７】
記録ヘッド７は、第１実施例で説明したものと同様に構成されるものであり、上述の通
り２つがヘッドホルダ１２０内の下方空間に支持されている。これら両記録ヘッド７は、
図５のノズル列が各インク色に対して２列ずつ使用され、両記録ヘッドのノズル列が互い
に略平行となるように、そのノズル列方向（図８紙面垂直方向）と略直交する方向（図８
左右方向）に並んで配設されている。
【００７８】
インクバッファタンク１０５は、各インク色のノズル列に対応してイエローインク用の
インクタンク、マゼンタインク用のインクタンク、ブラックインク用のインクタンク及び
シアンインク用のインクタンク（いずれも図示せず）に区画され、各タンクは、記録ヘッ
ド７のそれぞれ２個のインク供給口１に接続される（図２参照）。
【００７９】
フレキシブル配線ケーブル６０，１６０は、各記録ヘッド７から互いに反対方向であっ
て、かつ、ノズル列の方向に略直交する方向（図８左右方向）に延びて配設されている。
各フレキシブル配線ケーブル６０，１６０は、第１実施例の場合と同様に、底壁１２０ｃ
に形成される連通路１２０ｃ１を通過して、ヘッドホルダ１２０内の上部空間に入ると共
に、側壁１２０ａと略平行に上方へ向けて延びて、中継基板１５０の対向する両側縁に設
けられたコネクタ５１，１５２にそれぞれ接続されている。
【００８０】
これらフレキシブル配線ケーブル６０，１６０は、第１実施例で説明したものと同様に
、記録ヘッド７側に接続されたＣＯＦ６２と、そのＣＯＦを中継基板５０へ接続するＦＦ
Ｃ６３とから構成され、両者は同じ長さで構成されている。２個の記録ヘッド７のノズル
配列が、その両記録ヘッド間の中心点に関して点対称にあるとき、圧電アクチュエータプ
レートの電極１８ｙ〜１８ｃの配列も点対称になり、両記録ヘッド７に共通のＣＯＦ６２
が使用できる。また、その両ＣＯＦ６２の共通化にかかわりなく、入力側端子部６２ａの
配線ピッチを同じにすることで、両ＣＯＦ６２に対して同じＦＦＣ６３を共通に使用でき
る。ただし、各ＣＯＦ６２に対して２つのフレキシブル配線ケーブル６０，１６０におい
て、補強板６４を有する端子部６３ｂが後述するコネクタ５１，１５１の接点の向きに合
うように、両ＦＦＣ６３は各ＣＯＦ６２に対して裏表逆にして端子部６２ａ，６３ａを重
ね合わせて接合される。
【００８１】
ここで、図９を参照して、中継基板１５０のコネクタ５１，１５２の詳細構成について
説明する。図９（ａ）は、コネクタ５１の側面図であり、図９（ｂ）は、コネクタ１５２
の側面図である。コネクタ５１は、図９（ａ）に示すように、コネクタ側端子部６３ｂを
挿抜可能に保持する保持凹部５１ａと、その保持凹部５１ａ内に挿入された端子部６３ｂ
と電気的に接続される接点５１ｂとを備えている。
【００８２】
一方、コネクタ１５２は、図９（ｂ）に示すように、揺動操作可能なレバー部材１５２
ａと、端子部６３ｂと電気的に接続される接点１５２ｂとを備え、レバー部材１５２ａを
上方（図９（ｂ）上方）へ揺動することにより、接点１５２ｂ上面の受け入れ部１５２ｃ
を開放することができると共に、レバー部材１５２ａを下方（図９（ｂ）下方）へ押し下
げることにより、受け入れ部１５２ｃに受け入れられた端子部６３ｂを接点１５２ｂと電
気的に接続した状態で挟持可能に構成されるものである。
【００８３】
上記２つのフレキシブル配線ケーブル６０，１６０を中継基板１５０に接続するとき、
図８に二点差線で示すように、まず中継基板の一方のコネクタ５１を一方のフレキシブル
配線ケーブル６０の端子部６３ｂに近づけ、その端子部６３ｂをコネクタ５１の凹部５１
ａに挿入して電気的に接続する。その後、他方のコネクタ１５２を他方のフレキシブル配
線ケーブル１６０の先端に近づけて、中継基板１５０をヘッドホルダ１２０に対するほぼ
固定位置に設置する。この状態で、開放された受け入れ部１５２ｃに、フレキシブル配線
ケーブルの先端を曲げて入れ、その先端の端子部６３ｂを接点１５２上に重ねてレバー部
材１５２ａで挟持する。
【００８４】
仮に、中継基板１５０両側のコネクタが、挿抜タイプのコネクタ５１のみであると、中
継基板１５０の少なくとも一方の側に、端子部６３ｂを挿抜するための空間を確保しなけ
ればならず、さらに、フレキシブル配線ケーブルも余裕を持った長さにする必要がある。
しかし上記構成によれば、フレキシブル配線ケーブルの長さに必要以上の余裕を持たせる
必要がなくなり、その分、記録ヘッドユニット８を小型にすることができる。
【００８５】
なお、一方のコネクタ５１の接点５１ｂは、図９（ａ）に示すように、保持凹部５１ａ
の上側面において下方（図９（ａ）下方）を向いて設けられているので、フレキシブル配
線ケーブル６０のＦＦＣ６３（図７参照）は、記録ヘッドユニット１０８の組み立て状態
（図８参照）において、コネクタ側端子部６３ｂの配線パターンが上側（図９（ａ）上側
）を向くようにＣＯＦ６２に接続される。
【００８６】
他方のコネクタ１５２の接点１５２ｂは、図９（ｂ）に示すように、レバー部材１５２
ａと対向するように上方（図９（ｂ）上方）を向いて設けられているので、フレキシブル
配線ケーブル１６０のＦＦＣ６３（図７参照）は、記録ヘッドユニット１０８の組み立て
状態（図８参照）において、コネクタ側端子部６３ｂの配線パターンが下側（図９（ｂ）
下側）を向くようにＣＯＦ６２に接続される（図７参照）。
【００８７】
即ち、フレキシブル配線ケーブル６０，１６０に使用されるＦＦＣ６３は、上述した通
り両者同じものであるが、一方のＦＦＣ６３は、そのコネクタ側端子部６３ｂの接点方向
を反転させるべく、他方と表裏が逆向きとなるように裏返された状態でＣＯＦ６２に接続
されている。
【００８８】
このように、２つのコネクタ５１，１５２の接点方向が異なるため、コネクタ側端子部
６３ｂの接点方向が異なる２種類のフレキシブル配線ケーブル６０，１６０を必要とする
場合であっても、ＦＦＣ６３を裏返して使用することにより、これら２種類のフレキシブ
ル配線ケーブル６０，１６０においてＦＦＣ６３及びＣＯＦ６２を共用することができる
ので、部品を統一化して、その分、インクジェット記録装置１００全体としての製品コス
トの低減を図ることができる。
【００８９】
以上、実施例に基づき本発明を説明したが、本発明は上記実施例に何ら限定されるもの
ではなく、本発明の趣旨を逸脱しない範囲内で種々の改良変形が可能であることは容易に
推察できるものである。
【符号の説明】
【００９０】
１，１００        インクジェット記録装置（記録装置）
５，１０５        インクバッファタンク
６                記録用紙（記録媒体）
７                記録ヘッド（記録手段、インクジェットヘッド）
７ｂ              圧電アクチュエータプレート（圧力発生手段）
１６ｙ，１６ｍ，１６ｋ，１６ｃ        ノズル
５０，１５０      中継基板
５１，１５２      コネクタ（コネクタ装置）
５１ｂ，１５２ｂ  接点
１５２ａ          レバー部材
６０，１６０      フレキシブル配線ケーブル（接続手段）
６１              ＩＣチップ（駆動回路）
６２              ＣＯＦ（第１のフレキシブル基板）
６２ａ            入力側端子部（駆動回路の入力側配線の一部）
６３              ＦＦＣ（第２のフレキシブル基板）
６３ａ            ＩＣチップ側端子部（第１のフレキシブル基板の入力側配線に接続さ
れる端部）
６３ｂ            コネクタ側端子部（中継基板に接続される端部）
６４              補強板
【図１】
2011005866.tif 000003
【図２】
2011005866.tif 000004
【図３】
2011005866.tif 000005
【図４】
2011005866.tif 000006
【図５】
2011005866.tif 000007
【図６】
2011005866.tif 000008
【図７】
2011005866.tif 000009
【図８】
2011005866.tif 000010
【図９】
2011005866.tif 000011
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
記録媒体に対して記録を行う記録手段と、その記録手段を駆動する駆動回路と、制御手
段から出力された記録データを前記駆動回路へ中継する中継基板と、それら記録手段、駆
動回路および中継基板を電気的に接続する接続手段と、ヒートシンクとを備えた記録装置
において、
前記接続手段は、
前記駆動回路が実装され、前記記録手段に接続される前記駆動回路の出力側配線、及び
その駆動回路の入力側配線を形成した第１のフレキシブル基板と、
その第１のフレキシブル基板の前記入力側配線に接続される端部と、その端部とは反対
側において前記中継基板に接続される他方の端部とを有する平行な配線パターンを形成し
た第２のフレキシブル基板とから構成され、
前記駆動回路は、
前記第１のフレキシブル基板において、前記第２のフレキシブル基板が接続される前記
入力側配線の端部である入力側端子部と、前記記録手段に接続される前記出力側配線の端
部との間であって、前記入力側端子部側に偏倚して実装され、
前記ヒートシンクは、
前記第１のフレキシブル基板の前記入力側配線から前記中継基板の方向に延びる前記第
２のフレキシブル基板に沿って延びる本体部を少なくとも有することを特徴とする記録装
置。
【請求項２】
前記第１のフレキシブル基板のおける配線密度が、前記第２のフレキシブル基板におけ
る配線密度よりも高いことを特徴とする請求項１記載の記録装置。
【請求項３】
前記第２のフレキシブル基板は、前記中継基板に接続される配線の他端に補強板が添設
されており、その他端が前記中継基板に設けられたコネクタ装置に着脱可能に接続される
ものであることを特徴とする請求項１又は２に記載の記録装置。
【請求項４】
前記第１のフレキシブル基板の複数の入力側配線と前記第２のフレキシブル基板の複数
の配線とは、その接続側端部において、それらの配線の配列方向の中心に対して左右対称
に形成され、
前記第１のフレキシブル基板の入力側配線の前記第２のフレキシブル基板との接続側端
部は、その配線を前記第１のフレキシブル基板の一面側に露出させ、
前記第２のフレキシブル基板の配線の前記第１のフレキシブル基板との接続側端部は、
その配線を前記第２のフレキシブル基板の表裏両面に露出させ、
その両露出した端部は重ね合わされて接続されていることを特徴とする請求項１から３
のいずれかに記載の記録装置。
【請求項５】
前記中継基板は、前記複数の記録手段と間隔を置いて配置され、前記第２のフレキシブ
ル基板は、前記中継基板の前記記録手段側とは反対側の面に接続されていることを特徴と
する請求項１から４のいずれかに記載の記録装置。
【請求項６】
前記記録手段は、インクを吐出する複数のノズルと、その各ノズル内のインクに対して
選択的に吐出圧力を付与する圧力発生手段とを備えるインクジェットヘッドであり、さら
に、前記各ノズルにインクを供給するインクタンクを備え、
そのインクタンクは、前記インクの吐出側と反対側となる前記圧力発生手段の上部に配
設され、更に、前記中継基板は、前記インクタンクの上部に配設されており、
前記第２のフレキシブル基板と前記中継基板とは、前記インクタンクと反対側の面とな
る前記中継基板の上面側で互いに接続されていることを特徴とする請求項５記載の記録装
置。
【請求項７】
前記複数の記録手段は２群設けられ、その各群毎に前記駆動回路が実装される前記第１
のフレキシブル基板とその第１のフレキシブル基板に接続される第２のフレキシブル基板
とが設けられ、
前記各群の第２のフレキシブル基板は、前記中継基板の対向する両側縁に沿って設けら
れた２つのコネクタ装置にそれぞれ接続されるものであり、
前記２つのコネクタ装置の一方は、前記第２のフレキシブル基板の他端側配線の先端部
を電気的に接続した状態で保持可能で、かつ、前記他端側配線の先端部を挿抜可能に構成
されるものであり、
前記２つのコネクタ装置の他方は、揺動操作可能なレバー部材を備え、そのレバー部材
を一の方向へ揺動操作した場合には受け入れ部が開放されると共に、前記レバー部材を他
の方向へ揺動操作した場合には受け入れ部に受け入れた前記他端側配線の先端部を電気的
に接続した状態で保持可能に構成されるものであることを特徴とする請求項５又は６に記
載の記録装置。
【請求項８】
前記第１のフレキシブル基板の長さは、前記第２のフレキシブル基板の長さよりも短く
構成されていることを特徴とする請求項１から７のいずれかに記載の記録装置。
【請求項９】
前記駆動回路は、前記制御手段からシリアルに出力された記録データを、前記記録手段
の複数に対応したパラレル信号に変換し、前記記録手段を駆動するための電圧にして出力
するものであることを特徴とする請求項１から８のいずれかに記載の記録装置。
【手続補正２】
【補正対象書類名】明細書
【補正対象項目名】全文
【補正方法】変更
【補正の内容】
【発明の詳細な説明】
【技術分野】
【０００１】
本発明は記録装置に関し、特に、駆動回路が実装され、記録手段と中継基板とを接続す
る接続手段としてのフレキシブル基板の一部に汎用のフレキシブル基板を使用して、その
接続手段の部品コストを抑制することができる記録装置に関するものである。
【背景技術】
【０００２】
従来、記録媒体に対して画像を記録するプリンタ（記録装置）、例えば、インクジェッ
トプリンタでは、ノズルからの噴射の際に生じるインクミスト等の余剰インクによる汚染
を回避するために、記録ヘッドの駆動回路基板は、記録ヘッドのノズルから離れた位置に
配置され、これら記録ヘッドと駆動回路基板とは、フレキシブル基板により電気的に接続
されていた（特許文献１）。
【先行技術文献】
【特許文献】
【０００３】
【特許文献１】特開平１１−１６５４０８号公報（図２など）
【発明の概要】
【発明が解決しようとする課題】
【０００４】
ところで、近年では、記録ヘッドに接続されるフレキシブル基板上に駆動回路としての
ＩＣチップを実装した所謂ＣＯＦ（チップ・オン・フィルム）やＴＡＢ（テープ・オート
メイテッド・ボンディング）を使用してヘッドユニットを構成することで、その構成の簡
素化が図られている。なお、ＣＯＦ等におけるＩＣチップの入力側配線は、ヘッドユニッ
トに搭載された中継基板に接続されており、制御回路から出力される記録データは、その
中継基板を介して、ＩＣチップへ入力される。
【０００５】
しかしながら、近年、印字の高速化や高精細化の要求が一層厳しくなっており、そのた
め、記録ヘッドは、そのノズル数が増加される一方でノズルピッチが減少され、これに伴
って、記録ヘッドの端子ピッチやＩＣチップのバンプピッチが狭くなっている。その結果
、ＣＯＦ等の配線密度が狭くなり、加工コストが嵩むことに起因して、もともと高価な部
品であるＣＯＦ等の製品コストが更に嵩むという問題点があった。
【０００６】
また、中継基板は、インクによる汚染を回避するべく、記録ヘッドから離れて配置され
るため、それら中継基板と記録ヘッドとを接続するＣＯＦ等の配線長（製品長さ）が長く
なり、その分、製品コストが極めて嵩むという問題点があった。なお、ＣＯＦ等の製品コ
ストは、その全長に比例するため、配線密度がより広くなるＩＣチップの入力側配線部の
長さを延長した場合でも、配線密度がより狭くなる出力側配線部を延長した場合と同様の
製品コストとなる。
【０００７】
本発明は上述した問題点を解決するためになされたものであり、駆動回路が実装され記
録ヘッドと中継基板とを互いに接続する接続手段としてのフレキシブル基板の一部に汎用
フレキシブル基板を使用して、その接続手段の部品コストを抑制することができる記録装
置を提供することを目的としている。
【課題を解決するための手段】
【０００８】
この目的を達成するために、請求項１記載の記録装置は、記録媒体に対して記録を行う
記録手段と、その記録手段を駆動する駆動回路と、制御手段から出力された記録データを
前記駆動回路へ中継する中継基板と、それら記録手段、駆動回路および中継基板を電気的
に接続する接続手段と、ヒートシンクとを備えた記録装置において、前記接続手段は、前
記駆動回路が実装され、前記記録手段に接続される前記駆動回路の出力側配線、及びその
駆動回路の入力側配線を形成した第１のフレキシブル基板と、その第１のフレキシブル基
板の前記入力側配線に接続される端部と、その端部とは反対側において前記中継基板に接
続される他方の端部とを有する平行な配線パターンを形成した第２のフレキシブル基板と
から構成され、前記駆動回路は、前記第１のフレキシブル基板において、前記第２のフレ
キシブル基板が接続される前記入力側配線の端部である入力側端子部と、前記記録手段に
接続される前記出力側配線の端部との間であって、前記入力側端子部側に偏倚して実装さ
れ、前記ヒートシンクは、前記第１のフレキシブル基板の前記入力側配線から前記中継基
板の方向に延びる前記第２のフレキシブル基板に沿って延びる本体部を少なくとも有する
。
請求項２記載の記録装置は、請求項１記載の記録装置において、前記第１のフレキシブ
ル基板のおける配線密度が、前記第２のフレキシブル基板における配線密度よりも高い。
【０００９】
請求項３記載の記録装置は、請求項１又は２に記載の記録装置において、前記第２のフ
レキシブル基板は、前記中継基板に接続される配線の他端に補強板が添設されており、そ
の他端が前記中継基板に設けられたコネクタ装置に着脱可能に接続されるものである。
【００１０】
請求項４記載の記録装置は、請求項１から３のいずれかに記載の記録装置において、前
記第１のフレキシブル基板の複数の入力側配線と前記第２のフレキシブル基板の複数の配
線とは、その接続側端部において、それらの配線の配列方向の中心に対して左右対称に形
成され、前記第１のフレキシブル基板の入力側配線の前記第２のフレキシブル基板との接
続側端部は、その配線を前記第１のフレキシブル基板の一面側に露出させ、前記第２のフ
レキシブル基板の配線の前記第１のフレキシブル基板との接続側端部は、その配線を前記
第２のフレキシブル基板の表裏両面に露出させ、その両露出した端部は重ね合わされて接
続されている。
【００１１】
請求項５記載の記録装置は、請求項１から４のいずれかに記載の記録装置において、前
記中継基板は、前記複数の記録素子と間隔を置いて配置され、前記第２のフレキシブル基
板は、前記中継基板の前記記録素子側とは反対側の面に接続されている。
【００１２】
請求項６記載の記録装置は、請求項５記載の記録装置において、前記記録手段は、イン
クを吐出する複数のノズルと、その各ノズル内のインクに対して選択的に吐出圧力を付与
する圧力発生手段とを備えるインクジェットヘッドであり、さらに、前記各ノズルにイン
クを供給するインクタンクを備え、そのインクタンクは、前記インクの吐出側と反対側と
なる前記圧力発生手段の上部に配設され、更に、前記中継基板は、前記インクタンクの上
部に配設されており、前記第２のフレキシブル基板と前記中継基板とは、前記インクタン
クと反対側の面となる前記中継基板の上面側で互いに接続されている。
【００１３】
請求項７記載の記録装置は、請求項５又は６に記載の記録装置において、前記複数の記
録手段は２群設けられ、その各群毎に前記駆動回路が実装される前記第１のフレキシブル
基板とその第１のフレキシブル基板に接続される第２のフレキシブル基板とが設けられ、
前記各群の第２のフレキシブル基板は、前記中継基板の対向する両側縁に沿って設けられ
た２つのコネクタ装置にそれぞれ接続されるものであり、前記２つのコネクタ装置の一方
は、前記第２のフレキシブル基板の他端側配線の先端部を電気的に接続した状態で保持可
能で、かつ、前記他端側配線の先端部を挿抜可能に構成されるものであり、前記２つのコ
ネクタ装置の他方は、揺動操作可能なレバー部材を備え、そのレバー部材を一の方向へ揺
動操作した場合には受け入れ部が開放されると共に、前記レバー部材を他の方向へ揺動操
作した場合には受け入れ部に受け入れた前記他端側配線の先端部を電気的に接続した状態
で保持可能に構成されるものである。
【００１４】
請求項８記載の記録装置は、請求項１から７のいずれかに記載の記録装置において、前
記第１のフレキシブル基板の長さは、前記第２のフレキシブル基板の長さよりも短く構成
されている。
【００１５】
【００１６】
【００１７】
【００１８】
請求項９記載の記録装置は、請求項１から８のいずれかに記載の記録装置において、前
記駆動回路は、前記制御手段からシリアルに出力された記録データを、前記記録手段の複
数に対応したパラレル信号に変換し、前記記録手段を駆動するための電圧にして出力する
ものである。
【発明の効果】
【００１９】
請求項１記載の記録装置によれば、駆動回路が実装された第１のフレキシブル基板は、
駆動回路の出力側配線を記録手段に接続する一方、駆動回路の入力側配線を、平行な配線
パターンを形成した第２のフレキシブル基板を介して、中継基板に接続する。即ち、駆動
回路が実装され記録手段に対応した専用の配線パターンが形成された第１のフレキシブル
基板に対して、平行な配線パターンが形成された第２のフレキシブル基板の方がより安価
に構成されるところ、その第２のフレキシブル基板の使用量の分だけ、より高価な第１の
フレキシブル基板の使用量を減らすことができるので、その分、記録装置全体としての製
品コストの低減を図ることができるという効果がある。
【００２０】
請求項３記載の記録装置によれば、請求項１又は２に記載の記録装置の奏する効果に加
え、第２のフレキシブル基板は、中継基板に接続される配線の他端に補強板が添設され、
その他端を中継基板に設けられたコネクタ装置に接続する。よって、平行な配線パターン
からなる第２のフレキシブル基板を、中継基板のコネクタに容易に着脱可能に接続するこ
とができ、記録手段及び駆動回路と、中継基板とが初期不良や故障等により交換が必要に
なったとき、その着脱作業を容易に行うことができる。また、第２のフレキシブル基板に
対して、特別なコネクタを装着する必要がないから、コストを低減することができる。
【００２１】
請求項４記載の記録装置によれば、請求項１から３のいずれかに記載の記録装置の奏す
る効果に加え、第１のフレキシブル基板と第２のフレキシブル基板との接続側端部におい
ては、第１のフレキシブル基板の配線がその第１のフレキシブル基板の一面側に露出され
る一方、第２のフレキシブル基板の配線がその第２のフレキシブル基板の表裏両面に露出
され、更に、両フレキシブル基板の接続側端部の配線が、その配線の配列方向の中心に対
して左右対称に形成されている。
【００２２】
よって、第１のフレキシブル基板の配線の露出面に対して、第２のフレキシブル基板の
配線の表裏いずれの露出面を向けた場合であっても、これら両フレキシブル基板の露出さ
れた端部を互いに重ね合わせて接続することができるという効果がある。特に、第２のフ
レキシブル基板の中継基板側の配線の他端に補強板を添設したものでは、その中継基板上
のコネクタがその接点を補強板に対して上下のいずれの側に設けたものであっても第２の
フレキシブル基板を共用することができ、その結果、記録装置全体としての製品コストの
低減を図ることができるという効果がある。
【００２３】
また、第１のフレキシブル基板と第２のフレキシブル基板との接続側端部は、各配線の
露出した端部同士を重ね合わせて接続されるため、例えば、この接続部がはんだ付けによ
り接続される場合には、隣接端子間ショートや端子オープン等が発生しても、接続部のは
んだを再熔解することで、各フレキシブル基板を接続状態から外し再利用が可能となるの
で、記録装置の製造に際して、その歩留まりの向上を図ることができるという効果がある
。
【００２４】
請求項５記載の記録装置によれば、請求項１から４のいずれかに記載の記録装置の奏す
る効果に加え、中継基板は、複数の記録手段と間隔を置いて配設されると共に、第２のフ
レキシブル基板は、中継基板の記録手段側とは反対側の面に接続されている。よって、中
継基板と第２のフレキシブル基板との接続部がインクミスト等の余剰インクにより汚染さ
れることを未然に回避することができるという効果があり、また、中継基板と第２のフレ
キシブル基板との接続部の上方に作業空間を確保して、その接続作業や故障時の修理作業
などの作業効率の向上を図ることができるという効果がある。
【００２５】
請求項６記載の記録装置によれば、請求項５記載の記録装置の奏する効果に加え、中継
基板は、インクの吐出側と反対側に配設されるインクタンクの更に上部に配設されており
、その中継基板と第２のフレキシブル基板とは、インクタンクと反対側、即ち、インクの
吐出方向と反対側の面となる中継基板の上面側で互いに接続されている。よって、中継基
板と第２のフレキシブル基板との接続部がインクミスト等の余剰インクにより汚染される
ことを未然に回避することができるという効果があり、また、中継基板と第２のフレキシ
ブル基板との接続部の上方に作業空間を確保して、その接続作業や故障時の修理作業など
の作業効率の向上を図ることができるという効果がある。
【００２６】
請求項７記載の記録装置によれば、請求項５又は６に記載の記録装置の奏する効果に加
え、２群の記録手段からそれぞれ延びる第１のフレキシブル基板及び第２のフレキシブル
基板は中継基板の対向する両側縁に沿って設けられた２つのコネクタ装置にそれぞれ接続
されるものであるところ、一方のコネクタ装置は、第２のフレキシブル基板の他端側配線
の先端部を挿入するだけで、その先端部を電気的に接続した状態で保持可能に構成される
ものであり、また、他方のコネクタ装置は、レバー部材の揺動操作によって開放され第２
のフレキシブル基板を保持可能に構成されるものであるので、まず中継基板の前記一方の
コネクタ装置を一方の第２のフレキシブル基板の端部に近づけてその両者の接続をし、そ
の後、中継基板の前記他方のコネクタ装置を他方の第２のフレキシブル基板の端部に近づ
けてレバー部材によって接続をすることで、第１及び第２のフレキシブル基板を、２群の
記録手段と中継基板の両側とをそれぞれ結ぶほぼ最小限の長さとしても容易に接続作業を
行うことができる。それによって、第１及び第２のフレキシブル基板を、記録手段と中継
基板との間で、接続作業のためにたるみを持たせておく量を最小限とすることが可能にな
り、記録手段及び中継基板からなる部分を小型化することができる。
【００２７】
請求項８記載の記録装置によれば、請求項１から７のいずれかに記載の記録装置の奏す
る効果に加え、駆動回路が実装された第１のフレキシブル基板に対して、平行な配線パタ
ーンが形成された第２のフレキシブル基板の方がより安価に構成されるところ、第１のフ
レキシブル基板の長さは第２のフレキシブル基板の長さよりも短くされている、即ち、第
１及び第２の両フレキシブル基板全体で必要な全長は、第２のフレキシブル基板の使用割
合を相対的に大きくすることで確保され、その分、より高価な第１のフレキシブル基板の
使用量を減らすことができるので、記録装置全体としての製品コストの低減を図ることが
できるという効果がある。
【００２８】
【００２９】
【００３０】
【００３１】
【００３２】
【００３３】
【００３４】
請求項９記載の記録装置によれば、請求項１から８のいずれかに記載の記録装置の奏す
る効果に加え、駆動回路は、制御回路からシリアルに出力された記録データを、各記録手
段に対応したパラレル信号に変換し、記録手段を駆動するための電圧にして出力するもの
であるので、第１のフレキシブル基板に形成される入力側配線の配線数を少なくして、そ
の入力側配線に接続される第２のフレキシブル基板の構成を簡素化することができるので
、第２のフレキシブル基板の製品コストの低減を図ることができるという効果がある。
【図面の簡単な説明】
【００３５】
【図１】本発明の第１実施例におけるインクジェット記録装置を模式的に示した図である。
【図２】記録ヘッドユニットの分解斜視図である。
【図３】図２のＩＩＩ−ＩＩＩ線断面図である。
【図４】図２のＩＶ−ＩＶ線断面図である。
【図５】記録ヘッドユニットの下面図である。
【図６】記録ヘッド及びフレキシブル配線ケーブルの分解斜視図である。
【図７】（ａ）はフレキシブル配線ケーブルの上面図であり、（ｂ）（ｃ）はそれぞれそのケーブルの端子部の側面図である。
【図８】第２実施例における記録ヘッドユニットの断面図である。
【図９】（ａ），（ｂ）共にコネクタの一部を断面にした側面図である。
【発明を実施するための形態】
【００３６】
以下、本発明の好ましい実施例について、添付図面を参照して説明する。図１は、本発
明の第１実施例におけるインクジェット記録装置１を模式的に示した概略図である。
【００３７】
インクジェット記録装置１は、インクカートリッジ２を着脱可能に装着する装着部３と
、インクカートリッジ２からインク供給チューブ４を介して供給されるインクを貯留する
インクバッファタンク５と、そのインクバッファタンク５に貯留されたインクを記録用紙
６に向けて吐出する記録ヘッド７と、インクバッファタンク５と記録ヘッド７とを主に備
える記録ヘッドユニット８が搭載され直線方向に往復動作するキャリッジ９と、そのキャ
リッジ９が往復移動する際のガイドとなるキャリッジ軸１０と、記録用紙６を搬送する搬
送機構１１と、パージ装置１２とを備えている。
【００３８】
インクカートリッジ２は、シアン、マゼンタ、イエロー、ブラック等の複数色のカラー
インク毎に設けられ、インクジェット記録装置１に装着されてカラー印刷が可能に構成さ
れている。なお、インクカートリッジ２は、図１の矢印Ｘ方向へ押し込むことにより、装
着部３に装着される。
【００３９】
装着部３は、ベース部３ａと、そのベース部３ａの両側から立設するガイド部３ｂとを
備え、ガイド部３ｂに挟まれたベース部３ａからは、インクカートリッジ２内に貯留され
たインクを抽出する中空状のインク抽出管１３と、インクカートリッジ２内に外気を導入
する中空状の外気導入管１４とが突出して配設されている。
【００４０】
このインク抽出管１３の一端側には、インク供給チューブ４が連結され、インク抽出管
１３は、インク供給チューブ４を介してインクバッファタンク５と連通されている。外気
導入管１４の一端側には、外気導入チューブ１５が連結され、外気導入管１４は、外気導
入チューブ１５を介して外気と連通されている。
【００４１】
パージ装置１２は、記録範囲外であって記録ヘッド７に対向するように配置されており
、記録ヘッド７のノズル１６ｙ，１６ｍ，１６ｋ，１６ｃ（図５参照）形成面を覆うパー
ジキャップ１２ａと、パージキャップ１２ａと連通する廃インクチューブ１２ｂと、廃イ
ンクチューブ１２ｂを介してノズル１６ｙ，１６ｍ，１６ｋ，１６ｃからインクを吸引す
るポンプ１２ｃとを備えている。
【００４２】
次に、図２から図５を参照して、記録ヘッドユニット８の構造を説明する。図２は、記
録ヘッドユニット８の分解斜視図であり、図３及び図４は、記録ヘッドユニット８の断面
図であり、図５は、記録ヘッドユニット８の下面図である。
【００４３】
記録ヘッドユニット８は、上述したように、インクバッファタンク５と記録ヘッド７と
を備えて構成されており、また、図２に示すように、樹脂材料から略箱形に形成されるヘ
ッドホルダ２０と、放熱性に優れる金属材料（例えば、アルミニウム）から形成されるヒ
ートシンク３０と、正面視略矩形の平板状に形成され露出口４０ａが開口された補強フレ
ーム４０と、インクジェット記録装置１の本体側に静置された制御回路（図示せず）にフ
レキシブルケーブル（図示せず）を介して接続される中継基板５０とを更に備えて構成さ
れている。
【００４４】
ヘッドホルダ２０は、図２に示すように、互いに対向する一対の側壁２０ａ及び側壁２
０ｂと、それら各側壁２０ａ，２０ｂに囲まれて形成されたヘッドホルダ２０の内部空間
を上下に区画（図３及び図４参照）する底壁２０ｃとを備えて構成されている。なお、以
下においては、底壁２０ｃにより区画された内部空間のうち、底壁２０ｃより上側（図２
上側）の空間を上方空間と称し、底壁２０ｃよりも下側（図２下側）の空間を下方空間と
称す。
【００４５】
この記録ヘッドユニット８が図２に示す分解状態から組み立てられると、図３から図５
に示すように、ヘッドホルダ２０内の下方空間（図３及び図４下側）には、記録ヘッド７
が補強フレーム４０を介して支持されると共に、ヘッドホルダ２０内の上方空間には、イ
ンクバッファタンク５及びヒートシンク３０が配置され、また、ヘッドホルダ２０の上面
側（図３及び図４）には、中継基板５０が支持される。
【００４６】
補強フレーム４０は、ヘッドホルダ２０内の下方空間において、底壁２０ｃの下面側（
図３及び図４下側）に接着剤により固着されており、記録ヘッド７は、補強フレーム４０
の下面側に固着されている。また、記録ヘッド７の後述する圧電アクチュエータプレート
７ｂは、補強フレーム４０に開口された露出口４０ａから底壁２０ｃ側に露出して配設さ
れている。
【００４７】
記録ヘッド７の下面側（記録用紙６（図１参照）と対向する側）の面には、図５に示す
ように、イエローインク用のノズル１６ｙ、マゼンタインク用のノズル１６ｍ、ブラック
インク用のノズル１６ｋ及びシアンインク用のノズル１６ｃがそれぞれ列状に形成されて
いる。なお、これら各ノズル列の方向と略直交する方向（図５左右方向）がキャリッジ９
（図１参照）の移動方向とされる。
【００４８】
インクバッファタンク５は、その内部を、イエローインク用のインクタンク、マゼンタ
インク用のインクタンク、ブラックインク用のインクタンク及びシアンインク用のインク
タンク（いずれも図示せず）に区画して構成されており、これら各インクタンクの下面側
（図２又は図４下側）には、図２又は図４に示すように、管５ｙ，５ｍ，５ｋ，５ｃが記
録ヘッド７へ向けて延設されている。これら各管５ｙ，５ｍ，５ｋ，５ｃは、補強フレー
ム４０のインク供給経路４０ｙ，４０ｍ，４０ｋ，４０ｃを介して、記録ヘッド７の後述
するインク供給口１７ｙ，１７ｍ，１７ｋ，１７ｃに接続される。
【００４９】
ここで、図６を参照して、記録ヘッド７の詳細構成について説明する。図６は、記録ヘ
ッド７及びフレキシブル配線ケーブル６０の分解斜視図である。なお、図６では、フレキ
シブル配線ケーブル６０の一部が省略して図示されている。
【００５０】
記録ヘッド７は、複数のプレートを積層して形成されるキャビティプレート７ａと、プ
レート型の圧電アクチュエータプレート７ｂとを備えて構成されている。キャビティプレ
ート７ａは、特開２００２−２４０３０６号公報に記載された公知のものと同様に、上面
にインク供給口１７ｙ，１７ｍ，１７ｋ，１７ｃを有し、その各インク供給口１７ｙ〜１
７ｃから延びるマニホールド流路を介して複数の圧力室にインクが分配され、各圧力室か
ら対応する各ノズル１６ｙ，１６ｍ，１６ｋ，１６ｃに至る構成である。
【００５１】
圧電アクチュエータプレート７ｂは、上記の各圧力室に対応する複数の圧力発生手段、
即ち、圧電変形部を有し、その上面に各圧電変形部に接続された電極１８ｙ，１８ｍ，１
８ｋ，１８ｃを有する。電極１８ｙ，１８ｍ，１８ｋ，１８ｃの配設数は、ノズル１６ｙ
，１６ｍ，１６ｋ，１６ｃの数に対応する。
【００５２】
圧電アクチュエータプレート７ｂの上面（図６上側面）には、図６に示すように、可撓
性を有するフレキシブル配線ケーブル６０が積層され、各電極１８ｙ，１８ｍ，１８ｋ，
１８ｃには、フレキシブル配線ケーブル６０に実装され駆動回路を内装するＩＣチップ６
１から延びる配線パターン（図示せず）が接続される。
【００５３】
ＩＣチップ６１から圧電アクチュエータプレート７ｂの各圧電変形部に駆動パルスが供
給されると、上記の圧力室内のインクに圧力が付与され、各ノズル１６ｙ，１６ｍ，１６
ｋ，１６ｃからインクを下向き（図６下方向）に吐出することができる。
【００５４】
フレキシブル配線ケーブル６０は、図６に示すように、各電極１８ｙ，１８ｍ，１８ｋ
，１８ｃの列方向、即ち、ノズル１６ｙ，１６ｍ，１６ｋ，１６ｃ（図５参照）の列方向
に幅を有し、そのノズル列の方向に略直交する方向に延びて構成されている。
【００５５】
図２から図５に戻って説明する。フレキシブル配線ケーブル６０は、図３に示すように
、ヘッドホルダ２０の底壁２０ｃに形成される連通路２０ｃ１を通過して、ヘッドホルダ
２０内の下方空間から上方空間へ入り、その上方空間内を底壁２０ｃと略平行に側壁２０
ａまで延びた後、その側壁２０ａと略平行にヘッドホルダ２０の上方（図３上方向）へ向
けて延びて配設されている。そして、フレキシブル配線ケーブル６０の先端の後述するコ
ネクタ側端子部６３ｂ（図７（ａ）参照）は、ヘッドホルダ２０の上面側（図３及び図４
上側）に配設された剛性体の中継基板５０のコネクタ５１に接続される。
【００５６】
このように、中継基板５０は、図３に示すように、記録ヘッド７のインクの吐出側（図
３下側）と反対側に配設されたインクバッファタンク５の更に上部（図３上側）に配設さ
れており、その中継基板５０のコネクタ５１とフレキシブル配線ケーブル６０の先端の後
述するコネクタ側端子部６３ｂ（図７（ａ）参照）とは、インクの吐出方向と反対側の面
となる中継基板５０の上面側において互いに接続されている。
【００５７】
よって、コネクタ５１と後述するコネクタ側端子部６３ｂ（図７（ａ）参照）との接続
部がインクミスト等の余剰インクによって汚染されることを未然に回避することができる
と共に、コネクタ５１とコネクタ側端子部６３ｂとの接続部の上方（図３上側）に作業空
間を確保して、その接続作業や故障時の修理作業などの作業効率の向上を図ることができ
る。
【００５８】
中継基板５０は、図示しないフレキシブルな配線部材を介して、記録装置本体側に静置
された制御回路と接続される。ヒートシンク３０は、フレキシブル配線ケーブル６０に実
装されたＩＣチップ６１の発する熱を外部へ放熱するためのものであり、図２から図４に
示すように、平坦面を有して形成される座面部３０ａと、側面視略Ｕ字状に曲折されて形
成される本体部３０ｂとを備えて構成されている。また、本体部３０ｂの湾曲部には、貫
通口３０ｂ１が貫通形成されている。
【００５９】
ヒートシンク３０は、その座面部３０ａに形成された２つの取り付け穴３０ａ１（図２
参照）を、ヘッドホルダ２０の底壁２０ｃから突設された取り付けボス２０ｃ２に固着し
て、ヘッドホルダ２０内の上方空間に取り付けられている。
【００６０】
ヒートシンク３０の本体部３０ｂは、図３に示すように、ヘッドホルダ２０の側壁２０
ａの裏表両面と所定間隔を隔てつつ対向して配設されており、フレキシブル配線ケーブル
６０は、本体部３０ａと側壁２０ａとの対向面間を通り、本体部３０ｂの貫通口３０ａ１
から中継基板５０側へ延びて配設されている。
【００６１】
なお、ヒートシンク３０がヘッドホルダ２０に取り付けられた状態においては、図３に
示すように、ヘッドホルダ２０の底壁２０ｃに固着されたゴム状弾性部材１９によってＩ
Ｃチップ６１がヒートシンク３０の座面部３０ａに熱伝導可能に接触するように押圧され
ている。
【００６２】
次に、図７を参照して、フレキシブル配線ケーブル６０の詳細構成について説明する。
【００６３】
フレキシブル配線ケーブル６０は、ＩＣチップ６１が実装された第１のフレキシブル基
板としてのＣＯＦ（チップ・オン・フィルム）６２と、第２のフレキシブル基板としての
ＦＦＣ（フレキシブル・フラット・ケーブル）６３とから構成されている。ＣＯＦ６２は
、ＩＣチップ６１の入力側、出力側にそれぞれ接続される入力側配線および出力側配線を
、公知のように電気絶縁フィルムの上に印刷形成して備える。出力側配線の端部は、図６
のアクチュエータプレート７上の電極１８ｋ、１８ｙ、１８ｃ、１８ｍにそれぞれ接続さ
れる。
【００６４】
ＩＣチップ６１に内装される駆動回路は、記録装置本体側の制御回路から中継基板５０
を介してシリアルに出力された記録データを、記録ヘッド７の圧力発生手段数に対応した
パラレル信号に変換し、圧力発生手段を駆動するための電圧にして出力するものである。
【００６５】
そのため、ＣＯＦ６２の出力側配線パターンは、少なくともノズル１６ｙ，１６ｍ，１
６ｋ，１６ｃ（図５参照）数以上の線数が必要となり、配線密度が高くなる。これに対し
、ＣＯＦ６２の入力側配線パターン（即ち、ＦＦＣ６３の配線パターン）は、信号電源線
や駆動電源線、グランド線などの信号線に加えて、記録データ信号線、転送クロック信号
線およびラッチ信号線をインク色ごとに設けられたシリアル／パラレル変換器分だけ設け
れば良く、極めて少ない線数で構成することができる。
【００６６】
ＦＦＣ６３は、ＣＯＦ６２の入力側配線数と対応する配線数を有する平行な配線パター
ンが形成された汎用のケーブルであって、一方の端子部６３ａがＣＯＦ６２の入力側配線
の端部（入力側端子部６２ａ）に接続され、他方の端子部６３ｂが中継基板５０に接続さ
れる。したがって、ＣＯＦ６２が当該記録ヘッド７に専用に製作されるのに対して、汎用
のＦＦＣ６３がより安価に構成されるところ、上述のように、ＣＯＦ６２は、入力側配線
を、汎用のＦＦＣ６３を介して、プリント基板５１に接続するので、ＦＦＣ６３の使用量
の分だけ、より高価なＣＯＦ６２の使用量を減らすことができ、その分、インクジェット
記録装置１全体としての製品コストの低減を図ることができる。
【００６７】
ＦＦＣ６３とＣＯＦ６２との接続部においては、図７（ａ）及び図７（ｃ）に示すよう
に、ＣＯＦ６２の入力側端子部６２ａは、その配線の片側面（図７（ｃ）上側面）がＣＯ
Ｆ６２の面方向に沿って露出される一方、それに対応するＦＦＣ６３の端子部６３ａは、
その裏表両面（図７（ｃ）上側面及び下側面）の電気絶縁被覆がＦＦＣ６３の面方向に沿
って除去されて配線が裏表両面に露出され、更に、これら端子部６２ａ，６３ａの配線は
、その配線の配列方向（図７（ａ）上下方向）の中心を通り、ＦＦＣ６３及びＣＯＦ６２
の長手方向（図７（ａ）左右方向）に延びる仮想線に対して対称に配設されている。
【００６８】
両端子部６２ａ、６３ａは、露出した各配線を一対一で対応させて重ね合わせ、加熱す
ることでその一方の表面に形成された導電性ろう材（はんだ）を熔融させて接続される。
さらに、その接続部の、配線が露出している側を覆って電気絶縁テープ６５（図６）が貼
着される。
【００６９】
また、ＦＦＣ６３の中継基板５０側端子部６３ｂは、その配線の片側面（図７（ｂ）上
側面）の電気絶縁被覆がＦＦＣの面方向に沿って除去されて配線が露出され、その露出側
と反対側（図７（ｂ）下側面）に補強板６４が添設されている。補強板６４は、ＦＦＣ６
３よりも剛性が高く、後述するコネクタ５１に着脱する際に取り扱い易い剛性を有してい
る電気絶縁性のフィルム材であり、ＦＦＣ６３に熱熔着、接着等されている。
【００７０】
中継基板５０は、剛性を有する電気絶縁基板に配線パターンが印刷形成されたもので、
ＦＦＣ６３の端子部６３ｂが着脱可能に接続されるコネクタ５１を上面に有する。コネク
タ５１としては、後述する図９の、端子部６３ｂを挿抜するタイプ、レバー部材で端子部
６３ｂを挟むタイプのものなど、各種のものが使用される。
【００７１】
第１実施例のインクジェット記録装置は、上記のように、ＣＯＦ６２とＦＦＣ６３とを
接続する端子部６２ａ、６３ａが幅方向の中心に対して対称に配設され、ＦＦＣ６３の端
子部６３ａが裏表両面に露出しているため、ＦＦＣ６３を裏表いずれでもＣＯＦ６２に接
続することができ、中継基板５０上のコネクタ５１が後述する図９のように接点を上下い
ずれの側に有するタイプに対しても、ＦＦＣ６３を使用することができ、インクジェット
記録装置１全体としての製品コストの低減を図ることができる。
【００７２】
また、その両端子部６２ａ，６３ａとは、露出した配線同士を重ね合わせはんだ付けに
より接続するものであるので、例えば、かかる接続部に隣接端子間ショートや端子オープ
ン等が発生しても、接続部のはんだを再熔解することで、ＦＦＣ６３及びＣＯＦ６２を接
続状態から外し再利用を可能とすることができ、その結果、インクジェット記録装置１の
製造に際しては、その歩留まりの向上を図ることができる。
【００７３】
さらに、ＦＦＣ６３の端子部６３ｂは、中継基板５０のコネクタ５１に着脱可能に接続
されるので、記録ヘッド７、ＩＣチップ６１、中継基板５０を初期不良や故障等により交
換することが必要になったときには、かかる交換作業を容易に行うことができる。
【００７４】
次に、図８を参照して第２実施例について説明する。図８は、記録ヘッドユニット１０
８の断面図である。
【００７５】
第１実施例のインクジェット記録装置１では、ヘッドユニット８が記録ヘッド７を１つ
だけ備えて構成されていたのに対し、第２実施例のインクジェット記録装置１００では、
ヘッドユニット１０８が記録ヘッド７を２つ備えて構成されている。なお、前記した第１
実施例と同一の部分には同一の符号を付して、その説明は省略する。
【００７６】
ヘッドホルダ１２０は、第１実施例の場合と同様に、互いに対向する一対の側壁１２０
ａ及び側壁１２０ｂにより内部空間が形成され、その内部空間は、底壁１２０ｃによって
、下方空間と上方空間とに区画されている。図８に示すように、下方空間には、２つの記
録ヘッド７が補強フレーム１４０に支持されつつ左右対称に配置され、上方空間には、イ
ンクバッファタンク１０５及びヒートシンク３０が配置され、また、ヘッドホルダ１２０
の上面側（図８上側）には、中継基板１５０が支持される。
【００７７】
記録ヘッド７は、第１実施例で説明したものと同様に構成されるものであり、上述の通
り２つがヘッドホルダ１２０内の下方空間に支持されている。これら両記録ヘッド７は、
図５のノズル列が各インク色に対して２列ずつ使用され、両記録ヘッドのノズル列が互い
に略平行となるように、そのノズル列方向（図８紙面垂直方向）と略直交する方向（図８
左右方向）に並んで配設されている。
【００７８】
インクバッファタンク１０５は、各インク色のノズル列に対応してイエローインク用の
インクタンク、マゼンタインク用のインクタンク、ブラックインク用のインクタンク及び
シアンインク用のインクタンク（いずれも図示せず）に区画され、各タンクは、記録ヘッ
ド７のそれぞれ２個のインク供給口１に接続される（図２参照）。
【００７９】
フレキシブル配線ケーブル６０，１６０は、各記録ヘッド７から互いに反対方向であっ
て、かつ、ノズル列の方向に略直交する方向（図８左右方向）に延びて配設されている。
各フレキシブル配線ケーブル６０，１６０は、第１実施例の場合と同様に、底壁１２０ｃ
に形成される連通路２０ｃ１を通過して、ヘッドホルダ１２０内の上部空間に入ると共に
、側壁１２０ａと略平行に上方へ向けて延びて、中継基板１５０の対向する両側縁に設け
られたコネクタ５１，１５２にそれぞれ接続されている。
【００８０】
これらフレキシブル配線ケーブル６０，１６０は、第１実施例で説明したものと同様に
、記録ヘッド７側に接続されたＣＯＦ６２と、そのＣＯＦを中継基板５０へ接続するＦＦ
Ｃ６３とから構成され、両者は同じ長さで構成されている。２個の記録ヘッド７のノズル
配列が、その両記録ヘッド間の中心点に関して点対称にあるとき、圧電アクチュエータプ
レートの電極１８ｙ〜１８ｃの配列も点対称になり、両記録ヘッド７に共通のＣＯＦ６２
が使用できる。また、その両ＣＯＦ６２の共通化にかかわりなく、入力側端子部６２ａの
配線ピッチを同じにすることで、両ＣＯＦ６２に対して同じＦＦＣ６３を共通に使用でき
る。ただし、各ＣＯＦ６２に対して２つのフレキシブル配線ケーブル６０，１６０におい
て、補強板６４を有する端子部６３ｂが後述するコネクタ５１，１５１の接点の向きに合
うように、両ＦＦＣ６３は各ＣＯＦ６２に対して裏表逆にして端子部６２ａ，６３ａを重
ね合わせて接合される。
【００８１】
ここで、図９を参照して、中継基板１５０のコネクタ５１，１５２の詳細構成について
説明する。図９（ａ）は、コネクタ５１の側面図であり、図９（ｂ）は、コネクタ１５２
の側面図である。コネクタ５１は、図９（ａ）に示すように、コネクタ側端子部６３ｂを
挿抜可能に保持する保持凹部５１ａと、その保持凹部５１ａ内に挿入された端子部６３ｂ
と電気的に接続される接点５１ｂとを備えている。
【００８２】
一方、コネクタ１５２は、図９（ｂ）に示すように、揺動操作可能なレバー部材１５２
ａと、端子部６３ｂと電気的に接続される接点１５２ｂとを備え、レバー部材１５２ａを
上方（図９（ｂ）上方）へ揺動することにより、接点１５２ｂ上面の受け入れ部１５２ｃ
を開放することができると共に、レバー部材１５２ａを下方（図９（ｂ）下方）へ押し下
げることにより、受け入れ部１５２ｃに受け入れられた端子部６３ｂを接点１５２ｂと電
気的に接続した状態で挟持可能に構成されるものである。
【００８３】
上記２つのフレキシブル配線ケーブル６０，１６０を中継基板１５０に接続するとき、
図８に二点差線で示すように、まず中継基板の一方のコネクタ５１を一方のフレキシブル
配線ケーブル６０の端子部６３ｂに近づけ、その端子部６３ｂをコネクタ５１の凹部５１
ａに挿入して電気的に接続する。その後、他方のコネクタ１５２を他方のフレキシブル配
線ケーブル１６０の先端に近づけて、中継基板１５０をヘッドホルダ１２０に対するほぼ
固定位置に設置する。この状態で、開放された受け入れ部１５２ｃに、フレキシブル配線
ケーブルの先端を曲げて入れ、その先端の端子部６３ｂを接点１５２上に重ねてレバー部
材１５２ａで挟持する。
【００８４】
仮に、中継基板１５０両側のコネクタが、挿抜タイプのコネクタ５１のみであると、中
継基板１５０の少なくとも一方の側に、端子部６３ｂを挿抜するための空間を確保しなけ
ればならず、さらに、フレキシブル配線ケーブルも余裕を持った長さにする必要がある。
しかし上記構成によれば、フレキシブル配線ケーブルの長さに必要以上の余裕を持たせる
必要がなくなり、その分、記録ヘッドユニット８を小型にすることができる。
【００８５】
なお、一方のコネクタ５１の接点５１ｂは、図９（ａ）に示すように、保持凹部５１ａ
の上側面において下方（図９（ａ）下方）を向いて設けられているので、フレキシブル配
線ケーブル６０のＦＦＣ６３（図７参照）は、記録ヘッドユニット１０８の組み立て状態
（図８参照）において、コネクタ側端子部６３ｂの配線パターンが上側（図９（ａ）上側
）を向くようにＣＯＦ６２に接続される。
【００８６】
他方のコネクタ１５２の接点１５２ｂは、図９（ｂ）に示すように、レバー部材１５２
ａと対向するように上方（図９（ｂ）上方）を向いて設けられているので、フレキシブル
配線ケーブル１６０のＦＦＣ６３（図７参照）は、記録ヘッドユニット１０８の組み立て
状態（図８参照）において、コネクタ側端子部６３ｂの配線パターンが下側（図９（ｂ）
下側）を向くようにＣＯＦ６２に接続される（図７参照）。
【００８７】
即ち、フレキシブル配線ケーブル６０，１６０に使用されるＦＦＣ６３は、上述した通
り両者同じものであるが、一方のＦＦＣ６３は、そのコネクタ側端子部６３ｂの接点方向
を反転させるべく、他方と表裏が逆向きとなるように裏返された状態でＣＯＦ６２に接続
されている。
【００８８】
このように、２つのコネクタ５１，１５２の接点方向が異なるため、コネクタ側端子部
６３ｂの接点方向が異なる２種類のフレキシブル配線ケーブル６０，１６０を必要とする
場合であっても、ＦＦＣ６３を裏返して使用することにより、これら２種類のフレキシブ
ル配線ケーブル６０，１６０においてＦＦＣ６３及びＣＯＦ６２を共用することができる
ので、部品を統一化して、その分、インクジェット記録装置１００全体としての製品コス
トの低減を図ることができる。
【００８９】
以上、実施例に基づき本発明を説明したが、本発明は上記実施例に何ら限定されるもの
ではなく、本発明の趣旨を逸脱しない範囲内で種々の改良変形が可能であることは容易に
推察できるものである。
【符号の説明】
【００９０】
１，１００        インクジェット記録装置（記録装置）
５，１０５        インクバッファタンク
６                記録用紙（記録媒体）
７                記録ヘッド（記録手段、インクジェットヘッド）
７ｂ              圧電アクチュエータプレート（圧力発生手段）
１６ｙ，１６ｍ，１６ｋ，１６ｃ        ノズル
５０，１５０      中継基板
５１，１５２      コネクタ（コネクタ装置）
５１ｂ，１５２ｂ  接点
１５２ａ          レバー部材
６０，１６０      フレキシブル配線ケーブル（接続手段）
６１              ＩＣチップ（駆動回路）
６２              ＣＯＦ（第１のフレキシブル基板）
６２ａ            入力側端子部（駆動回路の入力側配線の一部）
６３              ＦＦＣ（第２のフレキシブル基板）
６３ａ            ＩＣチップ側端子部（第１のフレキシブル基板の入力側配線に接続さ
れる端部）
６３ｂ            コネクタ側端子部（中継基板に接続される端部）
６４              補強板